(57)【特許請求の範囲】
【請求項１】
ドアと、ドアが閉まる方の第１側板、前記第１側板に対向する第２側板、頂部水平面、及び、底部水平面を有するドアフレームとを備えたセキュリティドア構造であって、
前記ドアは、オフセットヒンジアセンブリ上に搭載され、
前記オフセットヒンジアセンブリは、前記ドアによって保護されている空間に、前記第２側板に又は前記頂部水平面及び前記底部水平面に設置され、前記オフセットヒンジアセンブリは、フレームヒンジと、前記フレームヒンジに固定されたドアヒンジとを有し、前記フレームヒンジの軸と前記ドアヒンジの軸とがずれており、
前記第１側板は、前記ドアの閉鎖端を受け入れるドアスロットを有し、ドアが閉じる時には前記ドアの閉鎖端が摺動して前記ドアスロットに入り、ドアが開く時には前記ドアの閉鎖端が摺動して前記ドアスロットから出、
前記ドアを開閉するための回転可能なハンドルをさらに備え、
前記ハンドルは、前記オフセットヒンジアセンブリに対して作用する連結棒を有し、これによって前記ハンドルを回転させた際に前記ドアが左右に摺動することを特徴とするセキュリティドア構造。
【請求項２】
前記フレームヒンジは、前記ドアフレームに接続された第１のヒンジ対を備え、
前記ドアヒンジは、前記ドアに接続された第２のヒンジ対を備え、
前記オフセットヒンジアセンブリは、前記第１のヒンジ対と前記第２のヒンジ対とを接続する接続手段を更に備え、前記接続手段は、前記第１のヒンジ対の軸を前記第２のヒンジ対の軸に平行に保ち、
前記ドアヒンジは前記ドアの内面に取り付けられ、前記フレームヒンジは前記ドアヒンジに取り付けられ、単一のアセンブリを形成している、請求項１に記載のセキュリティドア構造。
【請求項３】
前記第１のヒンジ対および前記第２のヒンジ対はそれぞれ、一対の対向する同軸のポケットと、それぞれの前記ポケット内に一対の同軸のピンとを有し、
前記接続手段が、前記第１および第２のヒンジ対の一方のポケットを前記第１および第２のヒンジ対の他方のピンに接続する固定部材を含む、請求項２に記載のセキュリティドア構造。
【請求項４】
前記第１のヒンジ対および前記第２のヒンジ対はそれぞれ、一対の対向する同軸のポケットと、それぞれの前記ポケット内に一対の同軸のピンとを有し、
前記接続手段が、前記第１および第２のヒンジ対の一方のピンを前記第１および第２のヒンジ対の他方のピンに接続する固定部材を含む、請求項２に記載のセキュリティドア構造。
【請求項５】
前記第１のヒンジ対および前記第２のヒンジ対はそれぞれ、一対の対向する同軸のポケットを有し、
前記接続手段が、前記第１および第２のヒンジ対の一方のポケットを前記第１および第２のヒンジ対の他方のポケットに接続する固定部材を含む、請求項２に記載のセキュリティドア構造。
【請求項６】
前記固定部材が、ロッドまたはチューブである、請求項３〜５のいずれかに記載のセキュリティドア構造。
【請求項７】
前記第１のヒンジ対および前記第２のヒンジ対はそれぞれ、対向する同軸のポケットを備え、
前記第１のヒンジ対のポケットが、前記第２のヒンジ対の隣り合うポケットに固定され、
前記ドアフレームに接続された前記第１のヒンジ対の前記ポケットがロッドで接続されている、請求項２に記載のセキュリティドア構造。
【請求項８】
前記第１のヒンジ対および前記第２のヒンジ対はそれぞれ、対向する同軸のポケットを有し、
各ポケットは、本体と端部とを有し、
前記ドアフレームは、前記頂部水平面および前記底部水平面の少なくとも一方に溶接された立ち上がり部を更に有し、
前記ドアフレームに固定された前記第１のヒンジ対の各ポケットが、前記ポケットの端部で前記頂部水平面および前記底部水平面に溶接され、
前記第１のヒンジ対のポケットの本体が、前記立ち上がり部にさらに溶接されている、請求項２〜７のいずれかに記載のセキュリティドア構造。
【請求項９】
前記ドアフレームの前記第１側板に対して前記ドアスロットを挟んで、中空の長方形断面を有するクローザが対向し、前記クローザは前記ドアスロットに入った前記ドアの前記閉鎖端よりも後ろ側に配置されている、請求項１〜８のいずれかに記載のセキュリティドア構造。
【請求項１０】
前記ドアフレームが、金庫の一部であって、
前記金庫の本体が、単一の板状パネルでできており、前記単一の板状パネルは、その端が折り返されて前記第１側板及び前記第２側板が形成され、更に上板および底板で補強されている、請求項９に記載のセキュリティドア構造。
【請求項１１】
前記摺動動作が、１５〜２５ｍｍである、請求項１〜１０のいずれかに記載のセキュリティドア構造。
【請求項１２】
前記ドアフレームが、前記ドアの背面の頂部端および底部端の後ろに立ち上がり部を有し、
各立ち上がり部は、スロット手段を有し、
前記ドアの前記背面上の前記スロット手段に対応する場所には、前記ドアが閉じたり開いたりした際に、前記スロット手段に対して係合したり離れたりするフック手段がある、請求項１〜１１のいずれかに記載のセキュリティドア構造。
【請求項１３】
前記ドアフレームが、閉じた状態のドアの面に平行な閉鎖表面を有し、前記ドアは、前記ドアスロットに到達するまではこの閉鎖表面に対して揺動して閉鎖する、請求項１〜１２のいずれかに記載のセキュリティドア構造。
【請求項１４】
前記ドアフレームの前記第２側板は、前記ドアスロットと平行なＬ字型断面を有する部材を備える、請求項１〜１３のいずれかに記載のセキュリティドア構造。
【請求項１５】
前記ドアフレームの前記第２側板は、前記フレームヒンジを支持する、請求項１〜１４のいずれかに記載のセキュリティドア構造。
【請求項１６】
前記ハンドルが、止め具の間で回転し、
バネが、前記回転を一方または他方の止め具の方向に偏らせることによって、前記回転を補助する、請求項１〜１５のいずれかに記載のセキュリティドア構造。
【請求項１７】
前記第１側板及び前記第２側板が中空の金属製押出し成形品であり、
前記オフセットヒンジアッセンブリが前記第２側板内に設置されている、請求項１〜１６のいずれかに記載のセキュリティドア構造。
【請求項１８】
前記オフセットヒンジアセンブリが、前記ドアそのもの内に少なくとも部分的に収納されている、請求項１に記載のセキュリティドア構造。
【請求項１９】
前記ドアが中空の内部を有し、前記オフセットヒンジアッセンブリが前記ドアの前記中空の内部に収納されている、請求項１８に記載のセキュリティドア構造。
【請求項２０】
ドアを閉鎖するよう配置されたドアクローザと、
前記ドアクローザが前記ドアスロットの位置に合うように前記ドアを動かした際、前記ドアを摺動させて前記ドアスロット内に入れるよう前記ドアと連動したバイアスアセンブリとを有する、請求項１〜１９のいずれかに記載のセキュリティドア構造。
【請求項２１】
前記ドアフレームが、閉じた状態のドアの面に平行な閉鎖表面を有し、前記ドアが前記閉鎖表面上に乗るまで、前記バイアスアセンブリによるドアの動作を遅延させる、請求項２０に記載のセキュリティドア構造。
【請求項２２】
請求項１〜２１のいずれかに記載のセキュリティドア構造を含む金庫。
【請求項２３】
請求項１に記載のセキュリティドア構造用のオフセットヒンジアセンブリであって、
ヒンジポケットを有し、フレームに接続可能な第１のヒンジ対と、
ヒンジポケットを有し、ドアに接続可能な第２のヒンジ対と、
前記第１のヒンジ対の軸と前記第２のヒンジ対の軸とを平行に保って、前記第１のヒンジ対と前記第２のヒンジ対とを接続する接続手段を備えることを特徴とするオフセットヒンジアセンブリ。
【発明の詳細な説明】
【技術分野】
【０００１】
本発明は、セキュリティドアおよびフレーム構造に関し、金庫に関する。
【背景技術】
【０００２】
ドアの安全対策として、特殊な錠を設けたりフレームに突き出る複数のボルトを追加したりして、ドアやフレームを耐攻撃性とする手段がある。このような手段はそれなりに有効であるが、新たなセキュリティ装置が出回るようになると、侵入者は対抗策を講じる。
【０００３】
欧州特許出願公開第０６６５３５６号明細書には、ドアが戸口より広く、閉じた時にはドアが戸口の後ろ側にあるような金庫が開示されている。このドアは、戸口に渡されてドアの有効開口幅を減少させる垂直シャフト上に取り付けられる。ドアの内面から延びるピンがシャフトを軸として回転するマウント内のスロットと係合し、ドアの外面上のハンドルにより回転するクランクによって、マウント上をドアが摺動する。ドアが戸口から外れると、ドアは自由となって金庫の内側に向かって傾斜する。ドアがマウントを中心に揺動し、金庫内部へのアクセスが可能になる。この機構により金庫内部へのアクセスが減少し、更に、ドアが内側に押し込まれないようにするために従来のボルトシステムが必要となる。ドアの全重量をマウントが支える。戸口からドアを外すには、ハンドルによってドア全体を横に動かさなければならない。
【特許文献１】欧州特許出願公開第０６６５３５６号明細書
【発明の要約】
【０００４】
本発明は、ドアとドアフレームとを備えたセキュリティドア構造を提供し、この構造において、ドアは、オフセットヒンジ上に搭載され、フレームの側板（upright）のヒンジと反対側には、ドアの閉鎖端を受け入れるスロットを有し、ドアが閉じる時にはドアの閉鎖端が摺動してスロットに入り、ドアが開く時にはドアの閉鎖端が摺動してスロットから出る。
【０００５】
スロットの深さは、ドアの閉鎖端の縁がそこに入ることによってドアとフレームとの係合面積を大きくでき、それによってドアを移動させるのに大きな力が必要となるような浅いもので十分である。
【０００６】
スロットは、金庫に用いられるような金属製ドアであれば５〜１２ｍｍでよい。木材製のドアスロットの深さは、若干大きくてもよい。ヒンジの軸は、従来のドアのようにドアの長手方向の辺とは一致しない。ヒンジは、ドア表面からオフセットしている。必要な摺動による出入りを行うには、ヒンジの行程は、１５〜２５ｍｍであればよい。
【０００７】
この構造を金属製の金庫に使用する際には、ヒンジは通常対にしてよいが、ドア面に接続する。ヒンジは、オフセットを与えるマウント部材によってドアに接続してもよい。マウント部材としては、チューブまたはロッドがあり、これによってフレームヒンジのヒンジ軸をドアヒンジの軸に平行に保つ。本発明はさらに、ドアフレームがドアの背面の頂部端および底部端の後ろにフレームレールを有し、各レールは、スロット手段を有し、ドアの背面上の対応する場所には、ドアが閉じたり開いたりした際に係合したり離れたりするためのフック手段が在るという特徴を有する。
【０００８】
頂部および底部のヒンジは、ドア面に固定されたヒンジボックスによって保護してもよい。
【０００９】
ドアは、ドアフレーム内にボルトおよびキーパーを備えた通常の錠を有してもよい。複数の摺動ピン型錠（sliding pin lock）を取り付けてもよいが、スロットとドアの縁とが広く係合するのでこれらの部品は必要が無い。
【００１０】
このような種類のドアおよびフレーム構造は特に、麻薬、現金、小火器（firearm）を保管するのに使用されるような小型の箱型金庫に適用可能であるが、より厚みのある金属製の金庫のドアを支持することも可能である。銃保管庫に関する適用例を次に示す。
【００１１】
フレームの側板は、断面箱型様式であってよい。ドアスロットは、閉鎖様式であってよい。金庫の本体は、断面箱型様式を含む溝形に形成された単一の板状パネルでできており、上板および底板で補強されていてもよい。
【００１２】
ヒンジ取り付け台は、金庫の床部と屋根部とに取り付けてもよく、金庫内部まで延長してもよい。各ヒンジは、床部と屋根部とに溶接されたフランジの一部であってもよい。ドアの回転軸を保つために、ヒンジは連結しておく。連結していない場合には、ドアがランダムに撓み、ドア面が傾斜してスムーズな開閉の妨げとなるであろう。
【００１３】
ドアは、一対のドアヒンジによって一対のフレームヒンジに接続された金属板であってよい。フレームヒンジ用の取り付け台は、ドアの支持様式に隣接して配置され、ドアに錠をかけた際には、ドアと様式との隙間が閉じる。
【００１４】
フレームヒンジとこれに接続されたドアヒンジとは、ドアの全長に渡って延びる箱によって保護されることが好ましい。ドアは、ドアの内面に固定された箱型のブレースによって補強してもよい。従来の錠からは、ドアの閉鎖様式内にボルトが突き出ていてもよい。
【００１５】
金庫およびセキュリティドアによっては、フェールセーフ動作を行うと、安全性が向上できる場合がある。金庫の内部に従来のドアクローザを取り付け、ドアをスロット内に摺動させるスラスターを設けてフェールセーフ構造となるように、上述のようなドアの構造を修正してもよい。ドアとスロットとが位置合わせされるまでこの摺動動作を遅延させる必要がある。さもないと、ドアが閉鎖様式にぶつかって、スロットに到達しなくなってしまう。ドアを揺動させて閉めるために配置されたドアクローザと、ドアクローザがドアスロットの位置に合うようにドアを動かした際にドアを摺動させてドアスロット内に入れるようドアと連動したバイアスアセンブリとをこの構造に設けてもよい。
【００１６】
バイアスアセンブリは、閉じた状態のドアの面に平行な閉鎖表面にドアが乗った際に、ドアに摺動動作を伝えるものでよい。ドアは、ドアスロットに到達するまでは閉鎖表面に対して揺動して閉鎖する。このような装置において、バイアスアセンブリが、フレームの軸間に延びるロッドまたはチューブに対して作用するドア内側のクランクを備えたドアハンドルと、ドアをドアスロットの方へ摺動するように、ドアの内側とクランクとの間で作用するバイアス手段と、このような摺動動作をバイアス手段がドアに伝えないようにする、クランクに接続されたリンクアセンブリと、ドアが揺動する円弧の少なくとも一部に渡って延びる止め具であって、ドアの位置がドアスロットの位置に合うと円弧の端部においてリンクアセンブリを開放する止め具とを備えることが好ましい。
【発明を実施するための最良の形態】
【００１７】
図面を参照すると、金庫本体２は、断面溝形に圧延された２ｍｍの鋼板製であり、この鋼板の端を折り返してさらに断面溝形様式４、６が形成されている。この金庫は、本体に溶接された上板８と底板１０とで塞がれている。したがって、このような様式は、これらの間に加えられるジャッキによる力によってこじ開けられにくい。
【００１８】
閉鎖様式４は、３つの面を有する。第４の面は、本体に溶接されて該閉鎖様式より突出する断面箱型の鋼製クローザ１２によって形成される。３ｍｍの鋼板製ドア１６の全長に渡って、クローザと様式との間には４ｍｍの隙間１４が広がっている。
【００１９】
フランジ１８、２０は、屋根部と床部に嵌めこまれて溶接される。これらによってフレームヒンジ２２、２４が支持される。ドアは、それぞれの端部が屋根部と床部とに溶接されたヒンジ２６、２８を軸として傾斜する。フレームヒンジ２２、２４のピンは、ロッド３０によって連結される。ドアヒンジ２６、２８のピンは、ロッド３２によって連結される。
【００２０】
ドアを開ける手順について、図５、６、７および８に示す。ロッド３０と３２との連結により、ヒンジに約２０ｍｍの行程が生じ、ドアは、この距離の約半分の距離だけスロット１４内に移動する。錠３４は、従来のものであり、キーパッド３６によって操作される。連結されたロッド３０、３２に剛性がなかったなら、ドアは撓んで開閉しにくくなる。このような剛性は、他の形状を用いて様々に実現可能である（図１４および１６参照）。
【００２１】
図３および４において、ロッドは、共通した溶接部３８により連結される。この態様において、ロッドは、フレームヒンジのピン３８をドアヒンジのピンに連結させる。製造手順は以下の通りである。
【００２２】
金庫の本体を圧延して、ドアの端部を形成する。頂部および床部を、所定の位置に溶接する。ロッドを、治具内で互いに溶接する。ヒンジの環状部を取り付け、ヒンジアセンブリをドアに設置してドアに溶接する。
【００２３】
次に、ドアアセンブリを本体も収容する治具に設置し、続いて、立ち上がり部１８、２０とフレームヒンジとを本体に溶接する。ヒンジポケット４２は、立ち上がり部と接しており、屋根部と床部とに溶接される。ドアアセンブリを金庫の開口部に設置し、ポケット４２を立ち上がり部に当接して屋根部と床部とに溶接する。
【００２４】
立ち上がり部１８および２４は、フック４８を受け入れるスロット４６を有し、フック４８は、ドアが開いたり閉じたりすると、スロットと係合したり離れたりする。このフックとスロットとの係合が従来の錠に追加されている。
【００２５】
ドアの摺動動作は、人が金庫を開けることにより開始されるが、通常この動作は、Ｄハンドル５０（図５〜８）に力を加えることにより行われる。図９において、手回しハンドル５２が止め具５６間でクランク５４を回転させ、連結棒５８がロッド３０に作用して、ドアを容易に左右に摺動させる。バネ６０が、初期動作に対する抵抗を克服する。
【００２６】
図１１および１２において、立ち上がり部は用いられていない。これは、木材製のセキュリティドアが閉鎖様式４と断面Ｌ字型の支持様式６とを有するからである。フレームヒンジ２２、２４は、端板６２によってドアの額縁に固定されており、ドアヒンジは、ヒンジ薄板６４によってドアにネジ止めされる。ハンドル５０および錠３４は、従来のものである。
【００２７】
図１３において、フレームヒンジ２２、２４（１つを図示）およびドアヒンジ２６、２８（１つを図示）は、ヒンジ薄板６４を有し、これらはすべてサポートスタッド４内に収納される。サポートスタッド４とクロージングスタッド６とは、中空のアルミ製押出し成形品である。錠３４は、中空のスタッド６内部で広がって分岐するフックを有する。
【００２８】
図１３に示すアルミ製のセキュリティドアは、別売りとしてもよいヒンジアセンブリを有し、図１４にこれを示す。ロッド３０がフレームヒンジ２２、２４のポケットを連結するので、これらの部品は同時に傾斜する。ヒンジ２２、２４のポケットは、溶接部６６によってドアヒンジ２６、２８のポケットに連結される。
【００２９】
図１５において、セットとして共に溶接された３連ヒンジを用いることによって、ヒンジアセンブリの行程が増加する。ドアヒンジをドアに連結し、フレームヒンジをロッド３０で連結し、中間ヒンジ６８を中間ロッド７０で連結することによりドアが撓むのを防ぐ。
【００３０】
図１６に示す銃保管庫において、フレームヒンジ２２、２４のポケットは、ドアヒンジ２６、２８のピンに接続される。フック４８とスロット４６とは、図２および３に示した実施態様のように係合したり離れたりする。弾薬庫７２は、武器７４を収納する空間を残している。
【００３１】
図１７は、ドアのオフセット動作を理解しやすくするための図である。点描により示した部品が一平面内に有り、ヒンジアセンブリにおいてラジアスアームのように単一の部品として動作する。
【００３２】
煙草やアルコールの貯蔵庫、銃器室、兵器庫等のためのウォークイン金庫を構成する場合、従来のドア７６（図１８）は、閉鎖端に、中心柱８０を閉鎖し、かつスロット８２を規定する縦ポケット７８を有し、このスロットに摺動ドア１６が突き出すことによって錠３４が機能する。
【００３３】
図１９、２０において、鋼板製ドア１６は、中空の内部８４を有する。ヒンジアセンブリは、この内部に収納されており、ドアヒンジ２６はドアの内側に溶接され、フレームヒンジ２２はドアフレームの頭部８６とフロアバー８８とに溶接されている。
【００３４】
ドアハンドル５２は、クランク５４に接続しており、連結棒５８は、ロッド３０に作用して、ドアを容易に左右に摺動させる。クランク５４は、ドアを右へ移動させようとするガスストラット９０の作用も受けており、これによりドアがドアスロット内に押し込まれる。従来のドアクローザ９２が、図示するように、屋根部に面して金庫内に取り付けられている。
【００３５】
ガスストラットの力に応じたクランクの動きは、頑丈なコネクタ９８とベルクランク１００との影響を受けて環状部材９６内を上下するロッド９４による抵抗を受ける。ドア１６が開いているときには、ロッド９４は、弓形を描いており、弧状の止め具１０２の下面と接触することによって、上昇しないようにおよびドアにガスストラットの力が伝わらないようにされている。止め具は、固定されており、フレームヒンジ２２から伸びている。ドアクローザがドアを揺動させて閉鎖し、ドアが様式４の閉鎖表面上に乗ると、ロッド９４は、止め具の端部に到達し、ガスストラットの力を受けて突然上昇する。ハンドルは、ドアを右に摺動させる力を受け、自由な状態となり、ヒンジアセンブリがオフセット構造を有するのでヒンジアセンブリ上を移動する。
【００３６】
閉鎖された時には、ロッド９４の端部は、弧状の止め具１０２の上に突き出す。ハンドルを回すことによって、止め具の下にロッド９４を引き、クローザに反発してドアを揺動させて開放すると、止め具の下でロッド９４が押さえられる。ハンドルを開放すると、ドアクローザがドアを揺動させて閉鎖するが、摺動動作は、ドアの位置がスロットの位置に合うまで遅延される。
【００３７】
別の実施態様では、ガスストラットは、一対のボルトをクローザ１２内のキーパー内に移動させる。
【００３８】
上述の実施態様について以下のような利点が認められた。
１．こじ開け棒（prying bar）のための通常の箇所が構造上無い。
２．複数のボルトを入れる必要が無い。
３．かなりの重量のドアを容易に移動できる。
４．ドアの全幅が利用可能である。
【００３９】
本明細書に渡って使用される「備える」という語は、非排他的な形式に解釈すべきであり、即ち、「備える」という語の使用によって、他の構成要素の追加を排除するものではないことを理解されたい。
【００４０】
本発明の基本的な本質から逸脱することなく本発明に対して様々な修正および／または追加を行うことができることを理解されたい。従って、このような修正および／または追加事項は本発明の範囲にあるものとみなす。
【図面の簡単な説明】
【００４１】
【図１】図１は、ドアを閉じた状態の小型現金用金庫の斜視図である。
【図２】図２は、図１に示した金庫のドアが開いた状態の斜視図である。
【図３】図３は、図２のヒンジアセンブリを矢印Ａの方向から見た正面図である。
【図４】図４は、溶接後の図３のヒンジアセンブリの分解図である。
【図５】図５は、ドアを閉じた状態の金庫の断面図である。
【図６】図６は、ドアを横に移動させた際の金庫の断面図である。
【図７】図７は、ドアが開いた状態の金庫の断面図である。
【図８】図８は、ドアを全開にした際の金庫の断面図である。
【図９】図９は、ドアを開閉するためのハンドルを備えた金庫のドアの断面図である。
【図１０】図１０は、ハンドルとヒンジアセンブリとの連結を示す、金庫の部分正面図である。
【図１１】図１１は、ドアが閉じた状態の木材製ドアと額縁との断面図である。
【図１２】図１２は、ドアが開いた状態の図１１に示したドアと額縁とを示す断面図である。
【図１３】図１３は、ドアが閉じた状態のアルミ製セキュリティドアの断面図である。
【図１４】図１４は、図１３に示したドア用のヒンジアセンブリの正面図であり、好適なドアや額縁用の独立した部品としても供給される。
【図１５】図１５は、３連ヒンジ構成の正面図である。
【図１６】図１６は、銃保管庫の概略斜視図であり、そのヒンジアセンブリを示す図である。
【図１７】図１７は、図１６に示したヒンジの正面断面図である。
【図１８】図１８は、中心柱を備えたツードア金庫の断面図である。
【図１９】図１９は、鋼板製ドアの平面図である。
【図２０】図２０は、図１９に示したドアの上部を部分的に断面で示した斜視図である。
【図２１】図２１は、背面を取り除いた状態で金庫を見た際の機械部分を含む金庫の背面図である。
【図２２】図２２は、Ａの方向から見た、図１の金庫の平面図である。
【図１】
0004575292.tif 000002
【図２】
0004575292.tif 000003
【図３】
0004575292.tif 000004
【図４】
0004575292.tif 000005
【図５】
0004575292.tif 000006
【図６】
0004575292.tif 000007
【図７】
0004575292.tif 000008
【図８】
0004575292.tif 000009
【図９】
0004575292.tif 000010
【図１０】
0004575292.tif 000011
【図１１】
0004575292.tif 000012
【図１２】
0004575292.tif 000013
【図１３】
0004575292.tif 000014
【図１４】
0004575292.tif 000015
【図１５】
0004575292.tif 000016
【図１６】
0004575292.tif 000017
【図１７】
0004575292.tif 000018
【図１８】
0004575292.tif 000019
【図１９】
0004575292.tif 000020
【図２０】
0004575292.tif 000021
【図２１】
0004575292.tif 000022
【図２２】
0004575292.tif 000023